(57)【要約】  【課題】  無線基地局装置を介した通信におけるデータの伝送遅延を上り／下りで測定することができる無線基地局試験システムを提供すること。  【解決手段】  無線端末装置をエミュレートする擬似無線端末装置２と、無線基地局装置１を介した通信を制御する無線ネットワーク制御装置をエミュレートする擬似無線ネットワーク制御装置３とを備え、擬似無線端末装置２は、無線基地局装置１を介して擬似無線ネットワーク制御装置３に送信されるデータの通信に使用されるプロトコルのうち、無線通信および有線通信に共通の最も下位のプロトコルレイヤでデータに時刻情報を付与する時刻情報付与部を有し、擬似無線ネットワーク制御装置３は、擬似無線端末装置２によって送信されたデータから時刻情報を抽出する時刻情報抽出部と、時刻情報に基づいて擬似無線端末装置２から擬似無線ネットワーク制御装置３までに生じるデータの伝送遅延を測定する伝送遅延測定部とを有する。【選択図】  図１
2006054779.tif 000002
【特許請求の範囲】
【請求項１】
無線基地局装置（１）と無線通信することによって前記無線基地局装置を介した通信を行う無線端末装置をエミュレートする擬似無線端末装置（２）と、
前記無線基地局装置と有線通信することによって前記無線基地局装置を介した通信を制御する無線ネットワーク制御装置をエミュレートする擬似無線ネットワーク制御装置（３）とを備え、
前記擬似無線端末装置は、前記無線基地局装置を介して前記擬似無線ネットワーク制御装置に送信されるデータの通信に使用されるプロトコルのうち、前記無線通信および前記有線通信に共通の最も下位のプロトコルレイヤでデータに時刻情報を付与する時刻情報付与部（１４）を有し、
前記擬似無線ネットワーク制御装置は、前記擬似無線端末装置によって送信されたデータから時刻情報を抽出する時刻情報抽出部（２５）と、
前記時刻情報抽出によって抽出された時刻情報に基づいて前記擬似無線端末装置から前記擬似無線ネットワーク制御装置までに生じるデータの伝送遅延を測定する伝送遅延測定部（２６）とを有することを特徴とする無線基地局試験システム。
【請求項２】
前記擬似無線端末装置および前記擬似無線ネットワーク制御装置を管理する管理装置（４）を備え、
前記管理装置は、前記時刻情報が付与されるデータの通信用に割り当てる専用のチャンネルを指定し、
前記擬似無線端末装置は、前記時刻情報付与部によって時刻情報が付与されたデータの通信用に前記管理装置によって指定されたチャンネルを割り当てるチャンネル割当部（１２）を有し、
前記時刻情報抽出部は、前記管理装置によって指定されたチャンネルに割り当てられた通信のデータから前記時刻情報を抽出するようにしたことを特徴とする請求項１に記載の無線基地局試験システム。
【請求項３】
無線基地局装置（１）と無線通信することによって前記無線基地局装置を介した通信を行う無線端末装置をエミュレートする擬似無線端末装置（２）と、
前記無線基地局装置と有線通信することによって前記無線基地局装置を介した通信を制御する無線ネットワーク制御装置をエミュレートする擬似無線ネットワーク制御装置（３）とを備え、
前記擬似無線ネットワーク制御装置は、前記無線基地局装置を介して前記擬似無線端末装置に送信されるデータの通信に使用されるプロトコルのうち、前記無線通信および前記有線通信に共通の最も下位のプロトコルレイヤでデータに時刻情報を付与する時刻情報付与部（２４）を有し、
前記擬似無線端末装置は、前記擬似無線ネットワーク制御装置によって送信されたデータから時刻情報を抽出する時刻情報抽出部（１５）と、
前記時刻情報抽出部によって抽出された時刻情報に基づいて前記擬似無線ネットワーク制御装置から前記擬似無線端末装置までに生じるデータの伝送遅延を測定する伝送遅延測定部（１６）とを有することを特徴とする無線基地局試験システム。
【請求項４】
前記擬似無線端末装置および前記擬似無線ネットワーク制御装置を管理する管理装置（４）を備え、
前記管理装置は、前記時刻情報が付与されるデータの通信用に割り当てる専用のチャンネルを指定し、
前記擬似無線ネットワーク制御装置は、前記時刻情報付与部によって時刻情報が付与されたデータの通信用に前記管理装置によって指定されたチャンネルを割り当てるチャンネル割当部（２２）を有し、
前記時刻情報抽出部は、前記管理装置によって指定されたチャンネルに割り当てられた通信のデータから前記時刻情報を抽出するようにしたことを特徴とする請求項３に記載の無線基地局試験システム。
【請求項５】
無線基地局装置（１）と無線通信することによって前記無線基地局装置を介した通信を行う無線端末装置をエミュレートする擬似無線端末装置（２）と、
前記無線基地局装置と有線通信することによって前記無線基地局装置を介した通信を制御する無線ネットワーク制御装置をエミュレートする擬似無線ネットワーク制御装置（３）とを備えた無線基地局試験システムを以って前記無線基地局装置を試験する無線基地局試験方法において、
前記擬似無線端末装置において、前記無線基地局装置を介して前記擬似無線ネットワーク制御装置に送信されるデータの通信に使用されるプロトコルのうち、前記無線通信および前記有線通信に共通の最も下位のプロトコルレイヤでデータに時刻情報を付与し、
前記擬似無線ネットワーク制御装置において、前記擬似無線端末装置によって送信されたデータから時刻情報を抽出し、抽出した時刻情報に基づいて前記擬似無線端末装置から前記擬似無線ネットワーク制御装置までに生じるデータの伝送遅延を測定することを特徴とする無線基地局試験方法。
【請求項６】
無線基地局装置（１）と無線通信することによって前記無線基地局装置を介した通信を行う無線端末装置をエミュレートする擬似無線端末装置（２）と、
前記無線基地局装置と有線通信することによって前記無線基地局装置を介した通信を制御する無線ネットワーク制御装置をエミュレートする擬似無線ネットワーク制御装置（３）とを備えた無線基地局試験システムを以って前記無線基地局装置を試験する無線基地局試験方法において、
前記擬似無線ネットワーク制御装置において、前記無線基地局装置を介して前記擬似無線端末装置に送信されるデータの通信に使用されるプロトコルのうち、前記無線通信および前記有線通信に共通の最も下位のプロトコルレイヤでデータに時刻情報を付与し、
前記擬似無線端末装置において、前記擬似無線ネットワーク制御装置によって送信されたデータから時刻情報を抽出し、抽出した時刻情報に基づいて前記擬似無線ネットワーク制御装置から前記擬似無線端末装置までに生じるデータの伝送遅延を測定することを特徴とする無線基地局試験方法。
【発明の詳細な説明】
【技術分野】
【０００１】
本発明は、携帯電話などの無線端末装置による無線通信の基地局に設置される無線基地局装置を試験する無線基地局試験システムに関し、詳しくは、無線基地局装置を介した通信において無線端末と無線ネットワーク制御装置との間で生じるデータの伝送遅延を測定する無線基地局試験システムに関するものである。
【背景技術】
【０００２】
従来、伝送遅延を測定するものとしては、例えば、連続的に所定のタイミングでタイムスタンプを発生し、発生したタイムスタンプをそれぞれ複数のＡＴＭセルに付与して、タイムスタンプを付与した複数のＡＴＭセルを被測定系に送信し、被測定系から帰還したＡＴＭセルを受信し、受信したＡＴＭセルからタイムスタンプを検出し、検出したタイムスタンプと、ＡＴＭセルが受信された時点におけるタイムスタンプとから、ＡＴＭセルの転送遅延時間を求めるＡＴＭセル転送遅延測定装置が知られている（例えば、特許文献１参照）。
【特許文献１】特開平１０−２７１１１９号公報
【発明の開示】
【発明が解決しようとする課題】
【０００３】
しかしながら、従来のＡＴＭセル転送遅延測定装置においては、無線端末装置と無線通信し、無線ネットワーク制御装置と有線通信する無線基地局装置を介した通信におけるデータの伝送遅延を測定する場合には、無線端末装置から無線ネットワーク制御装置までに生じるデータの伝送遅延、および無線ネットワーク制御装置から無線端末装置までに生じるデータの伝送遅延を測定することができないといった課題があった。
【０００４】
本発明は、従来の課題を解決するためになされたもので、無線基地局装置を介した通信におけるデータの伝送遅延を測定する場合に、無線端末装置から無線ネットワーク制御装置までに生じるデータの伝送遅延、および無線ネットワーク制御装置から無線端末装置までに生じるデータの伝送遅延を測定することができる無線基地局試験システムを提供することを目的とする。
【課題を解決するための手段】
【０００５】
本発明の無線基地局試験システムは、無線基地局装置（１）と無線通信することによって前記無線基地局装置を介した通信を行う無線端末装置をエミュレートする擬似無線端末装置（２）と、前記無線基地局装置と有線通信することによって前記無線基地局装置を介した通信を制御する無線ネットワーク制御装置をエミュレートする擬似無線ネットワーク制御装置（３）とを備え、前記擬似無線端末装置は、前記無線基地局装置を介して前記擬似無線ネットワーク制御装置に送信されるデータの通信に使用されるプロトコルのうち、前記無線通信および前記有線通信に共通の最も下位のプロトコルレイヤでデータに時刻情報を付与する時刻情報付与部（１４）を有し、前記擬似無線ネットワーク制御装置は、前記擬似無線端末装置によって送信されたデータから時刻情報を抽出する時刻情報抽出部（２５）と、前記時刻情報抽出によって抽出された時刻情報に基づいて前記擬似無線端末装置から前記擬似無線ネットワーク制御装置までに生じるデータの伝送遅延を測定する伝送遅延測定部（２６）とを有する。
【０００６】
この構成により、時刻情報を無線通信および有線通信に共通の最も下位のプロトコルレイヤでデータに付与するため、無線基地局装置を介した通信におけるデータの伝送遅延を測定する場合に、無線端末装置から無線ネットワーク制御装置までに生じるデータの伝送遅延を測定することができる。
【０００７】
また、本発明の無線基地局試験システムは、前記擬似無線端末装置および前記擬似無線ネットワーク制御装置を管理する管理装置（４）を備え、前記管理装置は、前記時刻情報が付与されるデータの通信用に割り当てる専用のチャンネルを指定し、前記擬似無線端末装置は、前記時刻情報付与部によって時刻情報が付与されたデータの通信用に前記管理装置によって指定されたチャンネルを割り当てるチャンネル割当部（１２）を有し、前記時刻情報抽出部は、前記管理装置によって指定されたチャンネルに割り当てられた通信のデータから前記時刻情報を抽出するようにしてもよい。
【０００８】
この構成により、時刻情報が付与されるデータの通信用に専用のチャンネルを割り当てることによって、時刻情報が付与されたデータの送受信が他のデータの送受信に影響されることを防止でき、データの伝送遅延の測定精度を向上させることができる。
【０００９】
また、本発明の無線基地局試験システムは、無線基地局装置（１）と無線通信することによって前記無線基地局装置を介した通信を行う無線端末装置をエミュレートする擬似無線端末装置（２）と、前記無線基地局装置と有線通信することによって前記無線基地局装置を介した通信を制御する無線ネットワーク制御装置をエミュレートする擬似無線ネットワーク制御装置（３）とを備え、前記擬似無線ネットワーク制御装置は、前記無線基地局装置を介して前記擬似無線端末装置に送信されるデータの通信に使用されるプロトコルのうち、前記無線通信および前記有線通信に共通の最も下位のプロトコルレイヤでデータに時刻情報を付与する時刻情報付与部（２４）を有し、前記擬似無線端末装置は、前記擬似無線ネットワーク制御装置によって送信されたデータから時刻情報を抽出する時刻情報抽出部（１５）と、前記時刻情報抽出部によって抽出された時刻情報に基づいて前記擬似無線ネットワーク制御装置から前記擬似無線端末装置までに生じるデータの伝送遅延を測定する伝送遅延測定部（１６）とを有する。
【００１０】
この構成により、時刻情報を無線通信および有線通信に共通の最も下位のプロトコルレイヤでデータに付与するため、無線基地局装置を介した通信におけるデータの伝送遅延を測定する場合に、無線ネットワーク制御装置から無線端末装置までに生じるデータの伝送遅延を測定することができる。
【００１１】
また、本発明の無線基地局試験システムは、前記擬似無線端末装置および前記擬似無線ネットワーク制御装置を管理する管理装置（４）を備え、前記管理装置は、前記時刻情報が付与されるデータの通信用に割り当てる専用のチャンネルを指定し、前記擬似無線ネットワーク制御装置は、前記時刻情報付与部によって時刻情報が付与されたデータの通信用に前記管理装置によって指定されたチャンネルを割り当てるチャンネル割当部（２２）を有し、前記時刻情報抽出部は、前記管理装置によって指定されたチャンネルに割り当てられた通信のデータから前記時刻情報を抽出するようにしてもよい。
【００１２】
この構成により、時刻情報が付与されるデータの通信用に専用のチャンネルを割り当てることによって、時刻情報が付与されたデータの送受信が他のデータの送受信に影響されることを防止でき、データの伝送遅延の測定精度を向上させることができる。
【００１３】
また、本発明の無線基地局試験方法は、無線基地局装置（１）と無線通信することによって前記無線基地局装置を介した通信を行う無線端末装置をエミュレートする擬似無線端末装置（２）と、前記無線基地局装置と有線通信することによって前記無線基地局装置を介した通信を制御する無線ネットワーク制御装置をエミュレートする擬似無線ネットワーク制御装置（３）とを備えた無線基地局試験システムを以って前記無線基地局装置を試験する無線基地局試験方法において、前記擬似無線端末装置において、前記無線基地局装置を介して前記擬似無線ネットワーク制御装置に送信されるデータの通信に使用されるプロトコルのうち、前記無線通信および前記有線通信に共通の最も下位のプロトコルレイヤでデータに時刻情報を付与し、前記擬似無線ネットワーク制御装置において、前記擬似無線端末装置によって送信されたデータから時刻情報を抽出し、抽出した時刻情報に基づいて前記擬似無線端末装置から前記擬似無線ネットワーク制御装置までに生じるデータの伝送遅延を測定する。
【００１４】
この方法により、時刻情報を無線通信および有線通信に共通の最も下位のプロトコルレイヤでデータに付与するため、無線基地局装置を介した通信におけるデータの伝送遅延を測定する場合に、無線端末装置から無線ネットワーク制御装置までに生じるデータの伝送遅延を測定することができる。
【００１５】
また、本発明の無線基地局試験方法は、無線基地局装置（１）と無線通信することによって前記無線基地局装置を介した通信を行う無線端末装置をエミュレートする擬似無線端末装置（２）と、前記無線基地局装置と有線通信することによって前記無線基地局装置を介した通信を制御する無線ネットワーク制御装置をエミュレートする擬似無線ネットワーク制御装置（３）とを備えた無線基地局試験システムを以って前記無線基地局装置を試験する無線基地局試験方法において、前記擬似無線ネットワーク制御装置において、前記無線基地局装置を介して前記擬似無線端末装置に送信されるデータの通信に使用されるプロトコルのうち、前記無線通信および前記有線通信に共通の最も下位のプロトコルレイヤでデータに時刻情報を付与し、前記擬似無線端末装置において、前記擬似無線ネットワーク制御装置によって送信されたデータから時刻情報を抽出し、抽出した時刻情報に基づいて前記擬似無線ネットワーク制御装置から前記擬似無線端末装置までに生じるデータの伝送遅延を測定する。
【００１６】
この方法により、時刻情報を無線通信および有線通信に共通の最も下位のプロトコルレイヤでデータに付与するため、無線基地局装置を介した通信におけるデータの伝送遅延を測定する場合に、無線ネットワーク制御装置から無線端末装置までに生じるデータの伝送遅延を測定することができる。
【発明の効果】
【００１７】
本発明の無線基地局試験システムは、無線基地局装置を介した通信におけるデータの伝送遅延を測定する場合に、無線端末装置から無線ネットワーク制御装置までに生じるデータの伝送遅延、および無線ネットワーク制御装置から無線端末装置までに生じるデータの伝送遅延を測定することができる。
【発明を実施するための最良の形態】
【００１８】
以下、本発明の実施の形態について、図面を参照して説明する。
【００１９】
図１は、本発明の一実施の形態に係る無線基地局試験システムのブロック図である。
【００２０】
無線基地局試験システムは、基地局（Base Transceiver Station、「ＢＴＳ」ともいう。）に設置される無線基地局装置１と無線通信することによって無線基地局装置１を介した通信を行う無線端末装置（User Equipment、「ＵＥ」ともいう。）をエミュレートする擬似無線端末装置２と、無線基地局装置１と有線通信することによって無線基地局装置１を介した通信を制御する無線ネットワーク制御装置（Radio Network Controller、「ＲＮＣ」ともいう。）をエミュレートする擬似無線ネットワーク制御装置３と、擬似無線端末装置２および擬似無線ネットワーク制御装置３を管理する管理装置４とを備え、無線基地局装置１を被測定装置として擬似無線端末装置２と擬似無線ネットワーク制御装置３との間で生じるデータの伝送遅延を測定するようになっている。
【００２１】
管理装置４は、パーソナルコンピュータ装置等によって構成されており、擬似無線端末装置２および擬似無線ネットワーク制御装置３とイーサーネット（登録商標）等の通信路５によって接続されている。
【００２２】
例えば、管理装置４は、オペレータの入力操作に応じて、擬似無線端末装置２と擬似無線ネットワーク制御装置３との間で生じるデータの伝送遅延の測定の開始を指示したり、送受信されるデータの通信用に割り当てるチャンネルを指定したりするようになっている。
【００２３】
図２は、擬似無線端末装置２のブロック図である。
【００２４】
擬似無線端末装置２は、無線基地局装置１と無線通信する無線通信部１０と、無線通信部１０を介して送信するデータを生成する送信データ生成部１１と、送信データ生成部１１によって生成されたデータの通信用にチャンネルを割り当てるチャンネル割当部１２と、現在時刻を表す時刻情報を生成する時刻情報生成部１３と、データに時刻情報を付与する時刻情報付与部１４と、擬似無線ネットワーク制御装置３によって送信され、無線通信部１０によって受信されたデータから時刻情報を抽出する時刻情報抽出部１５と、時刻情報抽出部１５によって抽出された時刻情報に基づいて擬似無線ネットワーク制御装置３から擬似無線端末装置２までに生じるデータの伝送遅延を測定する伝送遅延測定部１６と、管理装置４からの指示等に基づいて擬似無線端末装置２を構成する各部を制御する制御部１７とを備えている。
【００２５】
無線通信部１０は、無線通信インターフェイスモジュール等によって構成され、無線基地局装置１と無線通信することによって擬似無線ネットワーク制御装置３にデータを送信したり、擬似無線ネットワーク制御装置３からデータを受信したりするようになっている。
【００２６】
ここで、無線通信部１０によって送受信されるデータの通信に用いられるプロトコル構成について、図３を用いて説明する。図３は、擬似無線端末装置２と擬似無線ネットワーク制御装置３との間で無線基地局装置１を介して送受信されるデータの通信のプロトコルスタックの例を示す図である。
【００２７】
擬似無線端末装置２と無線基地局装置１との間の無線通信で用いられるプロトコルは、上位からＩＰ（Internet Protocol）、ＰＰＰ（Point-to-Point Protocol）、ＰＤＣＰ（Packet Data Convergence Protocol）、ＲＬＣ（Radio Link Control）、ＭＡＣ／Ｍａｃ−ｄ（Medium Access ControlまたはMedium Access Control-dedicated transport channel）、Ｎｕｌｌ／Ｍａｃ−ｈｓ（未使用またはMedium Access Control-high speed downlink shared channel）、ＰＨＹ（Physical layer）の各プロトコルレイヤによって構成されている。なお、ＲＲＣ（Radio Resource Control）は、制御データ用の階層である。
【００２８】
一方、擬似無線ネットワーク制御装置３と無線基地局装置１との間の有線通信で用いられるプロトコルは、上位からＩＰ、ＰＰＰ、ＰＤＣＰ、ＲＬＣ、ＭＡＣ／Ｍａｃ−ｄ、Ｉｕｂ  Ｆｒａｍｅ  Ｐｒｏｔｏｃｏｌ、ＡＡＬ２（ATM Adaptation Layer 2）、ＡＴＭ（Asynchronous Transfer Mode）、Ｌ１（Layer 1）の各プロトコルレイヤによって構成されている。
【００２９】
すなわち、擬似無線端末装置２と擬似無線ネットワーク制御装置３との間において、上位からＩＰ、ＰＰＰ、ＰＤＣＰ、ＲＬＣ、ＭＡＣ／Ｍａｃ−ｄの各プロトコルレイヤは、無線通信および有線通信で共通のプロトコルに準拠し、他の下位のプロトコルレイヤは、無線通信および有線通信のプロトコルにそれぞれ準拠する。
【００３０】
このように無線基地局装置１は、無線通信および有線通信で共通のプロトコルに準拠したプロトコルレイヤを透過的に転送し、無線通信および有線通信のプロトコルにそれぞれ準拠する下位のプロトコルレイヤを相互にプロトコル変換して転送している。
【００３１】
なお、擬似無線端末装置２と擬似無線ネットワーク制御装置３との間で無線基地局装置１を介して送受信されるデータの通信は、図３を用いて説明したプロトコルスタックの例に準拠するものとして以下説明する。
【００３２】
図２に戻り、送信データ生成部１１、チャンネル割当部１２、時刻情報生成部１３、時刻情報付与部１４、時刻情報抽出部１５、伝送遅延測定部１６、および制御部１７は、ＦＰＧＡ（Field Programmable Gate Array）、ＤＳＰ（Digital Signal Processor）、またはＣＰＵ（Central Processing Unit）によってそれぞれ構成される。
【００３３】
チャンネル割当部１２は、送信データ生成部１１によって生成された各データの通信用にチャンネルを割り当てるとともに、管理装置４によって指定された専用のチャンネルを時刻情報が付与されるデータの通信用に割り当てるようになっている。
【００３４】
このように、時刻情報が付与されるデータの通信用に専用のチャンネルを割り当てることによって、時刻情報が付与されたデータの送受信が他のデータの送受信に影響されることを防止でき、データの伝送遅延の測定精度を向上させることができる。なお、本実施形態におけるチャンネルとは、ＭＡＣ／Ｍａｃ−ｄのプロトコルレイヤ（以下単に「Ｍａｃ階層」という。）におけるチャンネルのことをいう。
【００３５】
時刻情報生成部１３は、擬似無線ネットワーク制御装置３と同期した時刻に基づいて時刻情報を生成するようになっている。例えば、時刻情報生成部１３は、擬似無線ネットワーク制御装置３と共に接続された専用線から受信される時刻同期用信号に基づいて時刻を計るようにしてもよく、汎地球測位システム（Global Positioning System、「ＧＰＳ」ともいう。）によって構成することによって時刻を計るようにしてもよい。
【００３６】
時刻情報付与部１４は、管理装置４によって指定されて専用に割り当てられたチャンネルにおいての通信に対して、無線通信および有線通信に共通の最も下位のプロトコルレイヤ、すなわちＭＡＣ階層でデータに時刻情報を付与するようになっている。
【００３７】
なお、時刻情報付与部１４がＭａｃ階層より下位のプロトコルレイヤで時刻情報を付与するようにした場合には、準拠するプロトコルの相違によって擬似無線ネットワーク制御装置３側で時刻情報を抽出することが困難になり、ＭＡＣ階層より上位のプロトコルレイヤで時刻情報を付与するようにした場合には、プロトコル変換時のオーバーヘッドや再送などの伝送制御によって伝送遅延の測定が不正確になる。
【００３８】
時刻情報抽出部１５は、擬似無線ネットワーク制御装置３によって無線基地局装置１を介して送信され、無線通信部１０によって受信されたデータのうち、管理装置４によって指定されて専用に割り当てられたチャンネルにおいての通信のデータにＭＡＣ階層で付与された時刻情報を抽出するようになっている。
【００３９】
伝送遅延測定部１６は、時刻情報抽出部１５によって抽出された時刻情報が表す時刻と、時刻情報生成部１３によって生成された時刻情報が表す現在時刻との差分によって擬似無線ネットワーク制御装置３から擬似無線端末装置２までに生じるデータの伝送遅延を測定するようになっている。
【００４０】
伝送遅延測定部１６によって測定された伝送遅延を表す情報は、例えば、制御部１７を介して管理装置４に送信され、管理装置４に設けられたディスプレイ装置等を介して表示される。
【００４１】
ここで、管理装置４に設けられたディスプレイ装置に表示される伝送遅延の表示結果の例を図４に示す。図４は、予め定められた遅延時間のステップ毎に対応する伝送遅延が生じたフレーム数のヒストグラムを表しており、横軸は遅延時間を示し、縦軸は各遅延時間分の伝送遅延が生じたフレーム数を表している。なお、管理装置４において、横軸の開始時間および遅延時間のステップを変更できるようにしてもよい。
【００４２】
図５は、擬似無線ネットワーク制御装置３のブロック図である。
【００４３】
擬似無線ネットワーク制御装置３は、無線基地局装置１と有線通信する有線通信部２０と、有線通信部２０を介して送信するデータを生成する送信データ生成部２１と、送信データ生成部２１によって生成されたデータの通信用にチャンネルを割り当てるチャンネル割当部２２と、現在時刻を表す時刻情報を生成する時刻情報生成部２３と、データに時刻情報を付与する時刻情報付与部２４と、擬似無線端末装置２によって送信され、有線通信部２０によって受信されたデータから時刻情報を抽出する時刻情報抽出部２５と、時刻情報抽出部２５によって抽出された時刻情報に基づいて擬似無線端末装置２から擬似無線ネットワーク制御装置３までに生じるデータの伝送遅延を測定する伝送遅延測定部２６と、管理装置４からの指示等に基づいて擬似無線ネットワーク制御装置３を構成する各部を制御する制御部２７とを備えている。
【００４４】
有線通信部２０は、有線通信インターフェイスモジュール等によって構成され、無線基地局装置１と有線通信することによって擬似無線端末装置２にデータを送信したり、擬似無線端末装置２からデータを受信したりするようになっている。
【００４５】
ここで、送信データ生成部２１、チャンネル割当部２２、時刻情報生成部２３、時刻情報付与部２４、時刻情報抽出部２５、伝送遅延測定部２６、および制御部２７は、擬似無線端末装置２を構成する送信データ生成部１１、チャンネル割当部１２、時刻情報生成部１３、時刻情報付与部１４、時刻情報抽出部１５、伝送遅延測定部１６、および制御部１７とそれぞれ同様に構成するため、詳細な説明を省略する。
【００４６】
以上のように構成された無線基地局試験システムについて、図６を用いて、その動作を説明する。なお、以下に説明する無線基地局試験システムの動作は、管理装置４において擬似無線端末装置２から擬似無線ネットワーク制御装置３までに生じるデータの伝送遅延の測定開始が指示されたときにスタートする。
【００４７】
まず、擬似無線端末装置２において、擬似無線ネットワーク制御装置３に送信されるデータの生成が送信データ生成部１１によって開始され（Ｓ１）、生成されたデータの通信用にチャンネル割当部１２によってチャンネルが割り当てられる。
【００４８】
ここで、データの通信用に割り当てられたチャンネルが、管理装置４によって指定された専用のチャンネルの場合には（Ｓ２）、時刻情報生成部１３によって生成された時刻情報が、時刻情報付与部１４によってデータにＭａｃ階層で付与される（Ｓ４）。
【００４９】
送信データ生成部１１によって生成されたデータは、無線通信部１０によって無線基地局装置１に無線送信され（Ｓ５）、無線基地局装置１において無線通信するためのプロトコルから有線通信するためのプロトコルに変換するプロトコル変換が行われ（Ｓ６）、擬似無線ネットワーク制御装置３に有線送信される（Ｓ７）。
【００５０】
擬似無線ネットワーク制御装置３において、管理装置４によって指定された専用のチャンネルが有線通信部２０によって受信されたデータの通信が割り当てられたチャンネルの場合には（Ｓ８）、Ｍａｃ階層で時刻情報抽出部２５によってデータから時刻情報が抽出され（Ｓ９）、抽出された時刻情報と時刻情報生成部２３によって生成された現在時刻を表す時刻情報とに基づいて擬似無線端末装置２から擬似無線ネットワーク制御装置３までに生じるデータの伝送遅延が伝送遅延測定部２６によって測定される（Ｓ１０）。
【００５１】
伝送遅延測定部２６による測定結果は、例えば、制御部１７を介して管理装置４に送信され、管理装置４に設けられたディスプレイ装置等を介して表示される（Ｓ１１）。ここで、管理装置４によって伝送遅延の測定終了が指示されている場合には（Ｓ１２）、無線基地局試験システムの動作は終了し、管理装置４によって伝送遅延の測定終了が指示されていない場合には（Ｓ１２）、無線基地局試験システムの動作はステップＳ１に戻る。
【００５２】
以上では、擬似無線端末装置２から擬似無線ネットワーク制御装置３までに生じるデータの伝送遅延を測定する動作について説明したが、擬似無線ネットワーク制御装置３から擬似無線端末装置２までに生じるデータの伝送遅延を測定する動作については、擬似無線端末装置２から擬似無線ネットワーク制御装置３までに生じるデータの伝送遅延を測定する動作の説明に基づいて容易に実施できるため説明を省略する。
【００５３】
以上説明したように、本発明の一実施の形態に係る無線基地局試験システムによれば、時刻情報を無線通信および有線通信に共通の最も下位のプロトコルレイヤでデータに付与するため、無線基地局装置１を介した通信におけるデータの伝送遅延を測定する場合に、無線端末装置から無線ネットワーク制御装置までに生じるデータの伝送遅延、および無線ネットワーク制御装置から無線端末装置までに生じるデータの伝送遅延を測定することができる。
【図面の簡単な説明】
【００５４】
【図１】本発明の一実施の形態に係る無線基地局試験システムの構成を示すブロック図
【図２】本発明の一実施の形態に係る擬似無線端末装置の構成を示すブロック図
【図３】本発明の一実施の形態に係る擬似無線端末装置と擬似無線ネットワーク制御装置との間で無線基地局装置を介して送受信されるデータの通信に用いられるプロトコルスタックの例を示す図
【図４】本発明の一実施の形態に係る管理装置に設けられたディスプレイ装置に表示される伝送遅延の表示結果の例を示す図
【図５】本発明の一実施の形態に係る擬似無線ネットワーク制御装置の構成を示すブロック図
【図６】本発明の一実施の形態に係る無線基地局試験システムの動作を示すフローチャート
【符号の説明】
【００５５】
１  無線基地局装置
２  擬似無線端末装置
３  擬似無線ネットワーク制御装置
４  管理装置
５  通信路
１０  無線通信部
１１、２１  送信データ生成部
１２、２２  チャンネル割当部
１３、２３  時刻情報生成部
１４、２４  時刻情報付与部
１５、２５  時刻情報抽出部
１６、２６  伝送遅延測定部
１７、２７  制御部
２０  有線通信部
【図１】
2006054779.tif 000003
【図２】
2006054779.tif 000004
【図３】
2006054779.tif 000005
【図４】
2006054779.tif 000006
【図５】
2006054779.tif 000007
【図６】
2006054779.tif 000008